(57)【特許請求の範囲】
【請求項１】
ボディの先端に設けられたノーズ部に打ち込みネジを供給し、この打ち込みネジを打撃してその一部を被打ち込み材に対して打ち込んだ後に回転させてねじ込むとともに、上記ノーズ部の先端両側に設けられた一対のネジガイドによって上記ノーズ部から打ち出された打ち込みネジを垂直状態に案内し、さらに上記ネジガイドを被打ち込み材を保護する可撓性材により形成されたコンタクトトップで覆ったネジ打ち回し機において、
上記各ネジガイドの基部を、ノーズ部を貫通した取付ピンに貫通させて回動自在に支持するとともに、上記コンタクトトップの基部から上記取付けピンの端部を収容する貫通孔又は嵌合凹部を形成した一対の押え片を上記コンタクトトップと一体的に対向形成し、両押え片を上記取付ピンの両端部に配置して上記取付ピンの抜け止めとするとともに、上記取付ピンの端部を上記押え片の貫通孔又は嵌合凹部内に収容させることによってコンタクトトップをノーズ部へ取り付けるようにしたことを特徴とするネジ打ち回し機におけるノーズ部のネジガイドの取付機構。
【発明の詳細な説明】
【０００１】
【発明の属する技術分野】
本発明は、打ち込みネジを被ねじ込み材に垂直に打ち込むために打ち込みネジをガイドするネジガイドの取付機構に関する。
【０００２】
【従来の技術】
一般に、ネジ打ち回し機において、打ち込みネジを打ち込む際に被ねじ込み材に垂直に打ち込めるように、ノーズ部の先端に一対のネジガイドが回動開閉自在に取りつけられている。このネジガイドはノーズ部に取付ピンで取りつけられているが、この取付ピン２５は図６に示すように一端には抜け止め用の膨突部２６を形成し、他端には溝２７を形成し、該溝２７には抜け止め用にゴム製の座金２８が嵌め込まれていた。
【０００３】
【発明が解決しようとする課題】
しかしながら、上述の取付ピン２５では一端には膨突部２６があり、他端にはゴム製座金２８を嵌める溝２７が形成されているので、取り付けピン２５をネジガイドに嵌合する際の方向が決められている。このように、取付けピン２５には方向性があり、さらにストップリングのような外れ止めのための部品が必要なので、部品の点数が増えるとともに、組み付け性がよくなかった。また、コンタクトトップも特別な加工をして独自に取りつける必要があった。
【０００４】
本発明は上記問題点を解消し、少ない部品点数により、方向性がなく、容易確実に取り付けることができるネジ打ち回し機におけるノーズ部のネジガイドの取付機構を提供することをその課題とする。
【０００５】
【課題を解決するための手段】
上記課題を解決するため、本発明に係るネジ打ち回し機におけるノーズ部のネジガイドの取付機構は、ボディの先端に設けられたノーズ部に打ち込みネジを供給し、この打ち込みネジを打撃してその一部を被打ち込み材に対して打ち込んだ後に回転させてねじ込むとともに、上記ノーズ部の先端両側に設けられた一対のネジガイドによって上記ノーズ部から打ち出された打ち込みネジを垂直状態に案内し、さらに上記ネジガイドを被打ち込み材を保護する可撓性材により形成されたコンタクトトップで覆ったネジ打ち回し機において、上記各ネジガイドの基部を、ノーズ部を貫通した取付ピンに貫通させて回動自在に支持するとともに、上記コンタクトトップの基部から上記取付けピンの端部を収容する貫通孔又は嵌合凹部を形成した一対の押え片を上記コンタクトトップと一体的に対向形成し、両押え片を上記取付ピンの両端部に配置して上記取付ピンの抜け止めとするとともに、上記取付ピンの端部を上記押え片の貫通孔又は嵌合凹部内に収容させることによってコンタクトトップをノーズ部へ取り付けるようにしたことを特徴とする。
【０００６】
【発明の実施の形態】
図１はネジ打ち回し機を示し、このネジ打ち回し機はボディ先端のノーズ部１に供給された打ち込みネジ２をノーズ部１の上部に配置された打撃ピストン３で打撃して被ねじ込み材にその一部を打ち込み、続いて図示しないネジ回転機構により打ち込みネジを回転させてねじ込むものである。
【０００７】
上記ノーズ部の先端には一対のネジガイドが回動開閉自在に取り付けられ、打撃時に上記打ち込みネジ２を両側から挟持して被ねじ込み材４に垂直に打ち込めるようにガイドししている。また、ネジガイド５の先端が被ねじ込み材４に直接接触しないようにノーズ部１の先端には被ねじ込み材を保護する合成樹脂製のコンタクトトップ１２が配置されている。
【０００８】
上記各ネジガイド５はノーズ部１に回動自在に支持されている。また、ネジガイド５はノーズ部１に配置されたスプリング７でネジガイド５の先端が互いに当接して閉じるように付勢され、打撃ピストン３が駆動された時に打ち込みネジ２を被ねじ込み材４に垂直に打ち込まれるように両側からガイドするもので、打ち込みネジ２はスプリング７に抗してネジガイド５を押し広げながら打ち出される。
【０００９】
ところで、ネジガイド５の基部には取付ピン６の取付孔１０が形成されている。この取付孔１０はノーズ部１に形成された軸孔１１と同径で、しかも取付ピン６の太さとほぼ同じ大きさの径で取付ピン６がスムーズに挿入できるように形成されている。
【００１０】
取付ピン６は、両端部に中央部よりも径の小さい小径部６ａが突出して左右対称に形成され、ノーズ部１の軸孔１１に挿入したときに左右の小径部６ａがノーズ部１の両側面からそれぞれ突出するように形成されている。
【００１１】
そして、ノーズ部１の先端には、ネジガイド５の先端が被ねじ込み材４に直接接触して、被ねじ込み材４に傷をつけることがないようにコンタクトトップ１２が配置されている。このコンタクトトップ１２はゴムや合成樹脂の可撓性部材で短筒状に形成され、両側には上方に向かってノーズ部１を両側から挟持する押え片１３が形成されている。この押え片１３には上記小径部６ａに貫通する貫通孔１４がそれぞれ２個形成されている。
【００１２】
前記構成においてネジガイド５を取り付けるときは、図４（ａ）に示すように、ノーズ部１の先端内部にネジガイド５の上部を挿入した後、ノーズ部１の一方の側面の軸孔１１から取付ピン６の先端を挿入する。取付ピン６は軸孔１１を貫通し、一方のネジガイド５の取付孔１０を貫通し、さらにネジガイド５の他方の取付孔１０を貫通してノーズ部１の他方の側面から小径部６ａを突出させる（図４（ｂ）参照）。この状態で、下方からコンタクトトップ１２の押え片１３をノーズ部１の両側から拡開させながら押し上げて両押え片１３を上記取付ピン６の両端部に配置し、貫通孔１４に小径部６ａを貫通させる。これにより、ネジガイド５の基部は取付ピン６に回動自在に支持される。取付ピン６の両端は、２つの押え片１３に挟まれてノーズ部１から抜け出すことはなく、一方コンタクトトップ１２も押え片１３が小径部６ａに係合してノーズ部１から脱落することがない。
【００１３】
上述のように、両端部に小径部６ａが形成された取付ピン６は左右対称に形成され、ノーズ部１の軸孔１１とネジガイド５の取付孔１０とは同一径に形成されるとともに、上記取付ピン６を挿入できる大きさに形成されているので、取付ピン６はどちらからでも自由に挿入でき、挿入方向を限定することなくネジガイド５をノーズ部１に取りつけることができる。そして、一旦取りつけた取付ピン６は被ねじ込み材４を保護するコンタクトトップ１２の押え片１３の貫通孔１４に貫通してノーズ部１から抜け出さないように保持されるとともに、このコンタクトトップ１２もノーズ部１から離脱することはない。また、取付ピンはネジガイドを支持するとともに、コンタクトトップの取り付け手段も兼ねるので、同時にネジガイドとコンタクトトップとをノーズ部に取りつけることができる。また、ストップリング等の抜け止め部品を追加する必要がなく、作業の効率を向上させるとともに、組み立てコストの低減を図ることができる。
【００１４】
なお、図５に示すように取付ピン２０を一端から他端まで同じ太さに形成し、コンタクトトップ１２の押え片１３の内側に上記取付ピン２０が嵌合できる大きさの嵌合凹部２１を形成するようにしてもよい。
【００１５】
このネジガイドの取付機構によれば、ノーズ部１の両側面から突出した取付ピン２０の両端部２０ａをコンタクトトップ１２の押え片１３に形成された嵌合凹部２１に嵌合させることにより、取付ピン６に上述の小径部のような特別な加工を施すこともなくネジガイド５とコンタクトトップ１２とをノーズ部１に簡単且つ確実に取りつけることができる。
【００１６】
【発明の効果】
本発明によれば、取付ピンは左右対称に形成され、取り付けに方向性がなく、ノーズ部のどちらから貫通してもよいので、取付ピンの方向を意識することなくネジガイドをノーズ部に簡単に取り付けることができる。しかも、この取付ピンはコンタクトトップの押え片により抜け止めされるので、取付ピンに特殊な加工をする必要もなく、この取付ピンを固定するための固定部品も必要としないので、部品点数を少なくすることができる。また、コンタクトトップも取り付けピンによって固定することができる。
【図面の簡単な説明】
【図１】本発明に係るネジガイド及びコンタクトトップの取付構造を適用したネジ打ち回し機の要部を示す側面図
【図２】ネジガイド及びコンタクトトップの取付構造を示す要部縦断面図
【図３】上記ネジガイド及びコンタクトトップの取付構造を説明する分解側面図
【図４】（ａ）（ｂ）（ｃ）はネジガイド及びコンタクトトップの取り付け態様を示す要部正面図
【図５】ネジガイド及びコンタクトトップの取付構造の他の例を示す要部正面図
【図６】従来のネジガイドの取付構造
【符号の説明】
１  ノーズ部
２  打ち込みネジ
３  打撃ピストン
４  被ねじ込み材
５  ネジガイド
６  取付ピン
１２  コンタクトトップ
１３  押え片
１４  貫通孔（係合部）
【図１】
0003605743.tif 000002
【図２】
0003605743.tif 000003
【図３】
0003605743.tif 000004
【図４】
0003605743.tif 000005
【図５】
0003605743.tif 000006
【図６】
0003605743.tif 000007